(57)【要約】【課題】携帯用品をその使用者に吊り下げる紐体（ストラップ部）が持つ機能、具体的には紐としての機能を利用し、その長さを有効に活用することのできる携帯品用ストラップを提供する。【解決手段】携帯電話端末やＩＤカード等の携帯用品を装着するための装着部(１)と、その一端側を上記装着部に連結した所定長さの紐体(２)と、この紐体の他端を該紐体の一端側または前記装着部に着脱自在に連結する連結部材(３)とを具備し、特に前記紐体にその長さ方向に沿って長さ測定用の目盛り(５)を付し、メジャーとしての機能を持たせた。【選択図】図１
2008295748.tif 000002
【特許請求の範囲】
【請求項１】
携帯用品を装着するための装着部と、その一端側を上記装着部に連結した所定長さの紐体と、この紐体の他端を該紐体の一端側または前記装着部に着脱自在に連結する連結部材とを具備し、
前記紐体に、その長さ方向に沿って長さ測定用の目盛りを付したことを特徴とする携帯品用ストラップ。
【請求項２】
前記紐体は、前記装着部に装着された携帯用品をその使用者の首に吊下するに適した長さの伸縮性に乏しい帯状体からなり、該帯状体の一面に長さ測定用の目盛りを付したものである請求項１に記載の携帯品用ストラップ。
【発明の詳細な説明】
【技術分野】
【０００１】
本発明は、携帯電話端末やＩＤカード等の携帯用品をその使用者の首に吊下するためのストラップに係り、特にその紐体が有する機能を有効に活用するようにした携帯品用ストラップに関する。
【背景技術】
【０００２】
近時、携帯電話端末やＩＤカード等の携帯用品を、その使用者の首に吊り下げるストラップ（いわゆるネックストラップ）の普及が目覚ましく、種々の工夫を施したネックストラップが開発されている。例えば携帯用品の装着部（リング体）と紐体（ストラップ部）との間に着脱コネクタを設けることでストラップに対する携帯用品の着脱を容易化したもの［例えば特許文献１を参照］、紐体（ストラップ部）の両端間を連結部材を用いてループ状に結合し、不本意な張力を受けたときに上記連結部材にてループ状の紐体（ストラップ部）を分断し得るようにしたもの［例えば特許文献２を参照］、更には紐体（ストラップ部）のループ長を容易に可変設定可能にしたもの［例えば特許文献３を参照］等が提唱されている。
【特許文献１】特開２００２−１４２８４８号公報
【特許文献２】特開２００４−３４４４０４号公報
【特許文献３】特開２００６−２０４７２０号公報
【発明の開示】
【発明が解決しようとする課題】
【０００３】
ところでネックストラップにおける紐体（ストラップ部）は、一般的には略１ｍ程度の長さを有しており、ループ状に形成されていると雖も、例えば物の周囲に巻き付けて物を束ねるための用品、つまり紐（縄）としての機能を有している。しかしながら紐体（ストラップ部）はループ状に形成されているので、物に巻き付ける場合には、実質的にその全長の略半分しか活用することができないと言う不具合がある。
【０００４】
本発明はこのような事情を考慮してなされたもので、その目的は、携帯用品をその使用者に吊り下げる紐体（ストラップ部）が持つ機能、具体的には紐としての機能を利用し、その長さを有効に活用することのできる携帯品用ストラップを提供することにある。
【課題を解決するための手段】
【０００５】
上述した目的を達成するべく本発明に係る携帯品用ストラップは、携帯電話端末やＩＤカード等の携帯用品を装着するための装着部と、その一端側を上記装着部に連結した所定長さの紐体と、この紐体の他端を該紐体の一端側または前記装着部に着脱自在に連結する連結部材とを具備し、特に前記紐体にその長さ方向に沿って長さ測定用の目盛りを付し、メジャーとしての機能を持たせたことを特徴としている。
【０００６】
好ましくは前記紐体は、前記装着部に装着された携帯用品をその使用者の首に吊下するに適した、例えば１ｍ程度の長さの伸縮性に乏しい帯状体からなり、該帯状体の一面に長さ測定用の目盛りを付したものとして実現される。尚、上記目盛りについては、例えばウェスト長の測定の目安となる計測単位として１ｃｍ間隔に付したマークであれば十分であり、また５ｃｍ間隔、或いは１０ｃｍ間隔で前記紐体（ストラップ部）の端部からの長さを示す数値を上記マークに併記することも望ましい。
【発明の効果】
【０００７】
このような構成の携帯品用ストラップによれば、常時は携帯電話端末やＩＤカード等の携帯用品の吊り下げに用いながら、適宜、前記連結部材による紐体と装着部との結合を解除して前記紐体を延ばすことで、この紐体をその一面に付した長さ測定用の目盛り（距離目盛り）を用いたメジャー（いわゆる巻き尺）として活用することが可能となる。従って日常生活において常時メジャー（巻き尺）を携帯しなくても、種々の状況下において適宜物の長さを簡易に測定することが可能となる。
【０００８】
特に携帯電話端末やＩＤカード等の携帯用品を首から吊り下げるためのネックストラップにあってはループ状の紐体（ストラップ部）の長さが略１ｍ程度あるので、そのループを解除して１本の細長い紐として延ばすことにより、多くの日常生活品の寸法を容易に測定することが可能となる。また上記紐体を用いて、例えばウェスト廻りの概略的な長さを測定することで、内臓脂肪型肥満に起因するメタボリックシンドロームに対する健康管理にも役立てることができる等の効果が奏せられる。
【発明を実施するための最良の形態】
【０００９】
以下、図面を参照して本発明の一実施形態に係る携帯品用ストラップについて、携帯電話端末やＩＤカード等の携帯用品を首から吊り下げるためのネックストラップを例に説明する。
図１はこの実施形態に係るネックストラップ（携帯品用ストラップ）の概略構成を示す図であって、図２はその展開図である。このネックストラップは、概略的には図示しない携帯用品（携帯電話端末やＩＤカード等）を装着するための装着部１と、一端を上記装着部１に連結した所定長さの紐体２と、この紐体２の他端を該紐体２の一端側に着脱自在に連結する連結部材３とを備えて構成される。尚、連結部材３は、前記紐体２の他端を前記装着部１に着脱自在に連結するものであっても良い。
【００１０】
ちなみに前記装着部１は、線径２ｍｍ程度のばね性を有する金属線を円環状に２重に巻回した直径２５ｍｍ程度のリング体（いわゆる鎖環）からなる。また前記紐体２は、幅が１５ｍｍ程度、厚みが１ｍｍ程度の、いわゆるテープ状（ベルト状）の繊維体（帯状体）からなり、略１ｍ程度の長さに切り出されて用いられる。特にこの紐体２としては、引っ張りによる伸びが殆どない材質のものが用いられる。更に前記連結部材３は、互いに嵌合する雄型部と雌型部とを有して着脱可能に設けられた一対のフック体３ａ,３ｂを主体とし、これらの各フック体３ａ,３ｂの端部にスリット形状の紐取り付け穴４ａ,４ｂをそれぞれ設けた合成樹脂製部品からなる。このような紐体２の前記装着部１への連結は、紐体２の一端側をリング体からなる装着部１の内側を通して折り返し、その折り返し部を重ね合わせて縫い合わせることによって行われる。
【００１１】
一方、上記装着部１に連結した前記紐体２の一端部への前記連結部材３の取り付けは、その一方のフック体３ａの紐取り付け穴４ａに前記紐体２の一端部を通して折り返し、その折り返し部を重ね合わせて縫い合わせることによって行われる。同様に前記紐体２の他端部への前記連結部材３の取り付けは、他方のフック体３ｂの紐取り付け穴４ｂに前記紐体２の他端部を通して折り返し、その折り返し部を重ね合わせて縫い合わせることによって行われる。
【００１２】
尚、紐体２の一端部への装着部１およびフック体３ａの取り付けについては、リング状の装着部１の内側およびフック体３ａの紐取り付け穴４ａをそれぞれ通した前記紐体２の一端部を互いに重ね合わせて折り返し、３重に重ね合わせた紐体２を一括して縫い合わせることで行うようにしても良い。また上述した縫い合わせ代えて、ハトメやステープル等の締結部品を用いて紐体２への前述したフック体３ａ,３ｂ等の取り付けを行うことも勿論可能である。
【００１３】
さて本発明に係るネックストラップは、基本的には上述した如くその両端間を連結部材３を介して着脱可能に設けられてループ状のストラップ部をなす前記紐体２の一面に、その長さ方向に沿って設けた長さ測定用の目盛り（距離目盛り）５を備えることを特徴としている。この距離目盛り５は、例えば前記紐体２の他端部に取り付けたフック体３ｂの先端位置を計測基準位置として、この計測基準位置から１ｃｍ間隔で付したドットマーク５ａ等として実現される。尚、例えば５ｃｍ間隔で上記計測基準位置からの距離を示す数値５ｂを前記ドットマーク５ａに併記したり、その数値５ｂを前記ドットマーク５ａに代えて付すことも勿論可能である。このような距離目盛り５については、例えば紐体２の一面に、予め作成した目盛りパターンを印刷することによって形成される。尚、前記紐体２の他面には、適宜、各種キャンペーン商品のロゴマークやイメージキャラクタ等が印刷される。
【００１４】
かくして上述した構成のネックストラップによれば、一対のフック体３ａ,３ｂからなる連結部材３を連結して紐体（ストラップ部）２をループ状に形成することでネックストラップとしての本来の機能を付与し、その装着部１に装着した携帯電話端末やＩＤカード等の携帯用品を首から吊り下げることが可能となる。そして必要に応じて前記一対のフック体３ａ,３ｂからなる連結部材３を切り離し、前記紐体（ストラップ部）２を１本の紐状に延ばすことで、その一面に付した距離目盛り５を利用して該紐体２をメジャー（巻き尺）として活用することが可能となる。
【００１５】
従って本発明に係るネックストラップを用いて携帯電話端末やＩＤカード等の携帯用品を日常的に携帯している状況下で、希に何等かの寸法を計測したい場合が生じたとしても前述した如く延ばした紐体（ストラップ部）２を用いてその計測を容易に行うことが可能となる。故に目的なく日常的にメジャー（巻き尺）を携帯すると言う煩わしさがなく、適宜、紐体（ストラップ部）２が有する機能を有効に活用して長さ測定を行うことができ、日常生活に役立てることが可能となる。
【００１６】
ところで最近、内臓脂肪型肥満に起因して様々な病気を引き起こす可能性のあるメタボリックシンドロームについての関心が高まっている。ちなみに成人男性においては、ウェスト長が８５ｃｍを超えるような場合、メタボリックシンドロームの危険性があると言われている。この点、上述したネックストラップにおいては、紐体（ストラップ部）２が略１ｍ程度の長さを有しているので、随時、上記紐体２を用いてウェスト廻りの長さを測ることが容易であり、日常的な健康管理に有効に役立てることが可能である。この場合、前記紐体（ストラップ部）２の距離目盛り５を付した面において、例えばその目盛り値が８５ｃｍを超える領域の色を［赤］にしておき、警告を促すメッセージ領域としておくことも有用である。
【００１７】
また本発明に係るネックストラップにおいて、前述した連結部材３として所定値以上の引っ張り力が加わったとき、その連結部が外れるような構造のものを用いれば、首に掛けたネックストラップ（紐体２）に不本意な力が加わったとき、連結部材３が外れてネックストラップが首から抜け落ちる。この結果、上記不本意な力が首に衝撃を与えることがなくなるので、いわゆる紐体２による首締め状態の発生や鞭打ち症等の発生を未然に防ぐことが可能となる等の効果が奏せられる。
【００１８】
尚、本発明は上述した実施形態に限定されるものではない。例えば紐体２として前述したテープ状（ベルト状）の繊維体（帯状体）に代えて、図３に示すように丸網紐や角網紐を用いることも可能である。この場合には前述した距離目盛り５を、例えばその周面に沿って設けたラインマーク等として実現すれば良く、またそのライン太さを変えることで５ｃｍ毎の区切りを付けるようにすれば良い。またこの場合、図３に示すように２つの球体を連結した結合体７ａと、上記球体をそれぞれ嵌合して保持する２つのキャップ体７ｂ,７ｃとからなる連結部材３を用い、これらの各キャップ体７ｂ,７ｃに前述した丸網紐や角網紐の端部を取り付けるようにすれば良い。
【００１９】
またここではリング体からなる装着部１を備えたネックストラップについて示した。しかし図４に例示するように前記装着部１として、前記紐体２に連結される装着部本体２ａと、この装着部本体１ａに着脱自在に設けられる駒体１ｂとからなるものを用い、駒体１ｂに携帯電話端末等の携帯用品を装着することで、適宜、紐体（ストラップ部）２から取り外し可能に設けることも可能である。またここではネックストラップを例に説明したが、ハンドストラップやショルダーストラップ等にも同様に適用可能である。その他、本発明はその要旨を逸脱しない範囲で種々変形して実施することができる。
【図面の簡単な説明】
【００２０】
【図１】本発明の一実施形態に係る携帯品用ストラップの概略構成を示す図。
【図２】図１に示す携帯品用ストラップの展開図。
【図３】本発明の別の実施形態に係る携帯品用ストラップの概略構成を示す図。
【図４】本発明の更に別の実施形態に係る携帯品用ストラップの概略構成を示す図。
【符号の説明】
【００２１】
１  装着部
２  紐体（ストラップ部）
３  連結部材
３ａ,３ｂ  フック体
５  距離目盛り（長さ測定用の目盛り）
５ａ  ドットマーク
５ｂ  長さを示す数値
【図１】
2008295748.tif 000003
【図２】
2008295748.tif 000004
【図３】
2008295748.tif 000005
【図４】
2008295748.tif 000006